(57)【特許請求の範囲】
【請求項１】
無線ネットワーク内の拡張ノードＢ（Evolved  Node  B：ｅＮＢ）において電力消費を低減する方法であって、
ユーザーイクイップメント（User  Equipment：ＵＥ）に対して、復帰プロシージャの１以上のパラメータを送信するステップと、
高電力状態から低電力状態に入るステップと、
少なくとも部分的に前記１以上のパラメータに基づく復帰信号の受信をモニタリングするステップと、
前記復帰信号の受信に応答して、高電力状態に入るステップと、
前記復帰信号の受信に応答して、前記ＵＥに接続確立信号を送信するステップと、
を含み、
前記復帰プロシージャの前記１以上のパラメータは、前記復帰信号に用いられるデジタルシーケンスを含み、また、リスニング間隔の長さを有し、
当該リスニング間隔は、リスニング長を含む少なくとも１つのリスニング期間と、少なくとも１つの非リスニング期間とを含む、
方法。
【請求項２】
前記復帰信号は、前記ｅＮＢによってランダムアクセスチャネル（Random  Access  Channel：ＲＡＣＨ）上で受信される、
請求項１に記載の方法。
【請求項３】
前記ｅＮＢは、継続的に前記復帰信号をモニタリングし、前記復帰信号は、直交周波数分割多重（Orthogonal  Frequency  Division  Multiplexing：ＯＦＤＭ）シンボル２つ分の長さを有する、
請求項１に記載の方法。
【請求項４】
前記復帰信号の長さは、少なくとも前記リスニング長である、
請求項１に記載の方法。
【請求項５】
前記復帰信号の長さは、少なくとも前記リスニング間隔の長さである、
請求項１に記載の方法。
【請求項６】
前記復帰信号の長さは、前記リスニング長よりも短い、
請求項１に記載の方法。
【請求項７】
前記復帰プロシージャの前記１以上のパラメータは、前記リスニング期間のタイミングを含む、
請求項１に記載の方法。
【請求項８】
ユーザーイクイップメント（ＵＥ）であって、
復帰プロシージャの１以上のパラメータを受信する受信回路と、
当該ＵＥは拡張ノードＢ（Evolved  Node  B：ｅＮＢ）に接続すべきであると判定する処理回路と、
前記判定に応答して、少なくとも部分的に前記１以上のパラメータに基づく復帰信号を前記ｅＮＢに送信する送信回路と、
を備え、
前記復帰信号は、前記ｅＮＢを低電力状態から高電力状態に入らせるように構成され、
前記受信回路は更に、接続確立プロシージャに関する送信を受信し、
前記復帰プロシージャの前記１以上のパラメータは、前記ＵＥによって前記復帰信号に用いられるデジタルシーケンスを含み、また、リスニング間隔の長さを有し、
当該リスニング間隔は、リスニング長を含むリスニング期間と、非リスニング期間とを含む、
ユーザーイクイップメント（ＵＥ）。
【請求項９】
前記送信回路は更に、前記復帰信号をランダムアクセスチャネルで送信する、
請求項８に記載のＵＥ。
【請求項１０】
前記復帰信号の長さは、少なくとも前記リスニング長の長さである、
請求項８に記載のＵＥ。
【請求項１１】
前記復帰信号の長さは、少なくとも前記リスニング間隔の長さである、
請求項８に記載のＵＥ。
【請求項１２】
前記復帰信号の長さは、前記リスニング長よりも短い、
請求項８に記載のＵＥ。
【請求項１３】
前記復帰プロシージャの前記１以上のパラメータは、前記リスニング期間のタイミングを含む、
請求項８に記載のＵＥ。
【請求項１４】
ホーム拡張ノードＢ（Home  Evolved  Node  B：ＨｅＮＢ）であって、
ユーザーイクイップメント（ＵＥ）に対して、復帰プロシージャの１以上のパラメータを送信する送信部と、
少なくとも部分的に前記復帰プロシージャの前記１以上のパラメータに基づく復帰信号を受信する受信部と、
前記復帰プロシージャの前記１以上のパラメータの送信後に低電力状態に入り、前記受信部により前記復帰信号が受信されたときに、前記低電力状態から高電力状態に入る電力制御部と、
を備え、
前記送信部は更に、前記ＨｅＮＢが前記高電力状態に入ったあとに、前記ＵＥに接続確立信号を送信し、
前記復帰プロシージャの前記１以上のパラメータは、前記復帰信号に用いられるデジタルシーケンスを含み、また、リスニング間隔の長さを有し、
当該リスニング間隔は、リスニング長を含むリスニング期間と、非リスニング期間とを含む、
ＨｅＮＢ。
【請求項１５】
低電力ＨｅＮＢである、請求項１４に記載のＨｅＮＢ。
【請求項１６】
前記受信部は、継続的に前記復帰信号をモニタリングする、
請求項１４に記載のＨｅＮＢ。
【請求項１７】
前記受信部は、前記復帰信号をランダムアクセスチャネルで受信する、
請求項１４に記載のＨｅＮＢ。
【請求項１８】
前記復帰信号の長さは、少なくとも前記リスニング長である、
請求項１４に記載のＨｅＮＢ。
【請求項１９】
前記復帰信号の長さは、少なくとも前記リスニング間隔の長さである、
請求項１４に記載のＨｅＮＢ。
【請求項２０】
前記復帰信号の長さは、前記リスニング長よりも短い、
請求項１４に記載のＨｅＮＢ。
【請求項２１】
前記復帰プロシージャの前記１以上のパラメータは、前記リスニング期間のタイミングを含む、
請求項１４に記載のＨｅＮＢ。
【発明の詳細な説明】
【技術分野】
【０００１】
関連出願の相互参照
本願は、２０１２年９月８日出願の“Wake-Up  Functionality  For  An  LTE  eNodeB（ＬＴＥ  ｅＮｏｄｅＢの復帰機能）”と題される米国特許出願第１３／６７２，５４８号に対する優先権を主張する。米国特許出願第１３／６７２，５４８号は、２０１２年７月２日出願の“Advanced  Wireless  Communication  Systems  and  Techniques（進歩した無線通信システムおよび技術）”と題される米国特許仮出願第６１／６６７，３２５号に対する優先権を主張している。両開示を参照することにより、その全体を本明細書に援用する。
【０００２】
実施形態は、３ＧＰＰ（Third  Generation  Partnership  Project）のｅＮｏｄｅＢ（ｅＮＢ）が低電力スリープモードに入り、３ＧＰＰのユーザーイクイップメント（ＵＥ）から復帰信号を受信したときに復帰するためのシステム、方法および命令に関する。
【背景技術】
【０００３】
ここに記載する背景の目的は、本開示の背景を一般に示すことである。ここに指名される発明者の成果は、この背景技術に記載される限りでは、本明細書の態様が出願時の先行技術とはみなされないのと同様に、本開示に対する先行技術として明示的に認められるものではなく、黙示的に認められるものでもない。本明細書で別段指摘されない限り、この節に記載されるアプローチは、本開示の特許請求の範囲に対する先行技術ではなく、また、この節に記載されることを理由に先行技術であるとみなされるものでもない。
【０００４】
従来のｅＮＢは、一般に、大きなカバーエリア内の多数のユーザーにサービスを提供する。しかしながら、３ＧＰＰのＬＴＥ（Long  Term  Evolution）ネットワーク技術が発展するに従って、ｅＮＢはより小さいカバーエリア、例えば１軒の家や１つのオフィスを対象に考慮されるようになっている。ｅＮＢのカバーエリアが小さくなると、相当長い期間そのｅＮＢ上でのユーザートラフィックが無い状態が生じ得る。しかしながら、そのような時間もｅＮＢは電力供給されたままである可能性があり、このように電力が無駄になってしまう。
【図面の簡単な説明】
【０００５】
以下の詳細な説明および添付の図面によれば、実施形態を容易に理解できるであろう。説明を容易にするために、同じ参照符号は同じ要素を示す。添付の図面に含まれる図において、実施形態は例示を目的として示されており、限定を目的としていない。
【図１】様々な実施形態に係る、ＵＥおよびｅＮＢを含むネットワークシステムの大まかな例を示す概略図である。
【図２−Ａ】様々な実施形態に係る、ｅＮＢが低電力モードに入るプロセスを示す例示的なフローチャートである。
【図２−Ｂ】様々な実施形態に係る、ｅＮＢが低電力モードを終了するプロセスを示す例示的なフローチャートである。
【図３−Ａ】様々な実施形態に係る例示的な復帰信号構成を示す図である。
【図３−Ｂ】様々な実施形態に係る別の例示的な復帰信号構成を示す図である。
【図３−Ｃ】様々な実施形態に係る別の例示的な復帰信号構成を示す図である。
【図３−Ｄ】様々な実施形態に係る別の例示的な復帰信号構成を示す図である。
【図４】本明細書に記載の様々な実施形態を実施する際に使用可能な例示システムを示す概略図である。
【発明を実施するための形態】
【０００６】
本明細書では、送信機能と受信機能との一方または両方を一定期間停止するスリープモードにｅＮＢが入ることを可能にする装置および方法が記載される。スリープモードに入る前に、ｅＮＢは自身が通信しているＵＥと共に復帰プロシージャのパラメータを送信してよい。パラメータは、ＵＥが復帰信号を構成する際に利用可能な符号系列および／またはタイミング情報を含んでよい。ＵＥがｅＮＢと通信を行う必要がある場合、ＵＥは復帰信号を送信し、ｅＮＢをスリープモードから復帰させてよい。
【０００７】
以下の詳細な説明では、添付の図面を参照する。添付の図面は詳細な説明の一部を成し、全体を通して同じ参照符号は同じ要素を示す。添付の図面には、実施可能な実施形態を例として示す。当然ながら他の実施形態を用いることもでき、本開示の範囲を逸脱することなく、構造または論理構成の変更を行うことができる。したがって、以下の詳細な説明は限定の意味で理解されるものではなく、実施形態の範囲は、添付の特許請求の範囲およびそれらの均等物によって定められる。
【０００８】
各種工程は、請求項に記載の主題を理解するのに最も役立つ形で、複数の個別の動作または工程として記載される場合がある。しかしながら、記載の順序は、そのような工程が必ず順序に依存すると黙示するものとして解釈されるべきではない。具体的には、そのような工程は、提示の順序で実行されなくてよい。記載の工程は、記載の実施形態とは異なる順序で実行されてよい。追加的な実施形態では、様々な追加の工程が実行されてもよいし、記載の工程が省略されてもよい。
【０００９】
本開示において、「Ａおよび／またはＢ」および「ＡまたはＢ」は、（Ａ）、（Ｂ）または（ＡおよびＢ）を意味する。本開示において、「Ａ、Ｂおよび／またはＣ」は、（Ａ）、（Ｂ）、（Ｃ）、（ＡおよびＢ）、（ＡおよびＣ）、（ＢおよびＣ）または（Ａ、ＢおよびＣ）を意味する。
【００１０】
「ある実施形態において」または「実施形態において」という表現を用いる場合、同じであるか異なる実施形態のうち１以上を意味する場合がある。更に、「備える」、「含む」、「有する」等の表現は、本開示の実施形態に関して用いられる場合、同義語である。
【００１１】
図１は、様々な実施形態に係る無線通信ネットワーク１００の概略図である。無線通信ネットワーク１００（以下「ネットワーク１００」という）は、次世代ＵＭＴＳ地上波無線アクセスネットワーク（Evolved  UMTS  Terrestrial  Radio  Access  Network：Ｅ−ＵＴＲＡＮ）等の、３ＧＰＰのＬＴＥネットワークのアクセスネットワークであってよい。ネットワーク１００は、ＵＥ１１０と無線通信を行うｅＮＢ１０５を含んでよい。一部の実施形態では、ｅＮＢ１０５はＬＴＥホットスポットであってよく、ＬＴＥホットスポット・インドア（LTE  Hotspot  indoor：ＬＴＥ−Ｈｉ）であってもよい。一部の実施形態では、ｅＮＢ１０５は、例えばホームｅＮＢのような、低電力または狭範囲のｅＮＢであってよい。
【００１２】
図１に示すように、ＵＥ１１０は送受信モジュール１２０を有してよい。更に、送受信モジュール１２０は、ネットワーク１００の他の要素（例えばｅＮＢ１０５）と無線接続を行うために、ＵＥ１１０のアンテナ１２５と接続されてよい。アンテナ１２５は、電力増幅器１２４により駆動されてよい。電力増幅器１２４は、図１に示すように送受信モジュール１２０の構成要素であってもよいし、ＵＥ１１０の別個の構成要素であってもよい。一実施形態では、電力増幅器１２４は、アンテナ１２５における全送信の電力を供給する。他の実施形態では、ＵＥ１１０に、複数の電力増幅器もしくは複数のアンテナ、またはその両方が存在してよい。ＵＥ１１０の送受信モジュール１２０は、送信機能と受信機能の一方または両方のための回路構成を有してよい。特定の実施形態では、送受信モジュール１２０の代わりに、送信回路を有する送信モジュールおよび／または受信回路を有する受信モジュール（図示なし）を別個に設けてよい。
【００１３】
同様に、ｅＮＢ１０５は、送受信モジュール１３０を有してよい。送受信モジュール１３０は、ＵＥ１１０等のネットワーク要素と無線通信を行うために、ｅＮＢ１０５のアンテナ１３５と接続されてよい。ｅＮＢ１０５は更に、送受信モジュール１３０に接続される電力増幅器１４０と、電力制御部１４５とを有してよい。一実施形態では、電力増幅器１４０は、アンテナ１３５における全送信の電力を供給する。他の実施形態では、ｅＮＢ１０５に、複数の電力増幅器もしくは複数のアンテナ、またはその両方が存在してよい。ＵＥ１１０と同様に、ｅＮＢ１０５の送受信モジュール１３０は、送信機能と受信機能の一方または両方のための回路構成を有してよい。特定の実施形態では、ｅＮＢ１０５の送受信モジュール１３０の代わりに、送信回路を有する送信モジュールおよび／または受信回路を有する受信モジュール（図示なし）を別個に設けてよい。
【００１４】
図２−Ａは、一実施形態に係る、ｅＮＢ１０５等のｅＮＢが高電力状態から低電力のスリープモードに入る際の論理構成を示す。本開示の以下の記載全体で「スリープモード」という表現を用いるが、当然ながらスリープモードという表現は、対応する高電力状態の機能のうち１以上が低減されるか排除され得る低電力状態を意味する。高電力状態は、そのような１以上の機能が駆動されるか用いられる状態を意味することがある。本明細書で用いられる「スリープモード」という表現は、３ＧＰＰの仕様や電気電子技術者協会（Institute  of  Electrical  and  Electronics  Engineers：ＩＥＥＥ）の仕様等の仕様で定義されるような「スリープモード」に厳密に限定されるものではない。
【００１５】
ｅＮＢ１０５は、電力制御部１４５等の電力制御部またはプロセッサを用いてスリープモードに入ってよく、またはスリープモードを制御してよい。一部の実施形態では、ｅＮＢがスリープモードであるとき、該ｅＮＢの送信機能と受信機能の両方がオフにされ、他の実施形態では、ｅＮＢの送信機能と受信機能のうち一方のみがオフにされる。
【００１６】
まず、ｅＮＢは、ステップ２００でスリープモードに入ることを決定してよい。この決定は、所定期間のｅＮＢの休止、特定の時刻、ｅＮＢと関連付けられる１以上のＵＥ（ＵＥ１１０等）上で動作するアプリケーションに関する情報、３ＧＰＰネットワークから受信されるトラフィック等の要因に応答してなされてよい。
【００１７】
ステップ２００でｅＮＢがスリープモードに入ることを決定すると、ステップ２０５において該ｅＮＢは、ＵＥと共に復帰プロシージャのパラメータを送信してよい。一部の実施形態では、ＵＥが応答し、ｅＮＢとＵＥとの間でネゴシエーションプロセスが発生してよい。特定の実施形態では、復帰プロシージャのパラメータは、ほぼ同時にＵＥへ送信されてもよく、連続して送信されてもよい。送信される復帰プロシージャのパラメータには、ｅＮＢが自身の受信部をオンにしＵＥから送信される復帰信号をリスニングする際の期間および時間間隔に関する情報が含まれてよい。このような間隔には、図３を参照して後述するｅＮＢのリスニング期間とｅＮＢのリスニング間隔とのうち１以上が含まれてよい。また、送信されるパラメータには、復帰信号のデジタルシーケンスまたはコードが含まれてよい。復帰信号のデジタルシーケンスまたはコードにより、ｅＮＢは、周囲の無線送信または他のセルのＵＥからの送信と、復帰信号とを認識し区別することができる。一部の実施形態では、送信されるパラメータには、ｅＮＢとＵＥの両方にとって既知のパラメータが再利用されてよい。例えば、リスニング間隔は、ｅＮＢによりＵＥに対して構成されるランダムアクセスチャネルリソースに対応してよい。或いは、ｅＮＢは、ＵＥの間欠受信（Discontinuous  Reception：ＤＲＸ）について定義されるプロシージャ等の従来のプロシージャを用いて、自身のスリープモードを構成してよい。ｅＮＢが複数のＵＥと通信を行う場合、パラメータのうち１以上を異なるＵＥ間で共有してもよいし、パラメータを各ＵＥ固有のものとして、ｅＮＢがＵＥを区別できるようにしてもよい。
【００１８】
ｅＮＢは、ステップ２０５でパラメータを送信したあと、ステップ２１０において、自身と通信を行っている任意のＵＥにスリープモードに入ることを通知してよい。ｅＮＢは、ＵＥとの同期を維持しない場合に該ＵＥが自身からの同期信号を検索しないように、ＵＥに通知を行ってよい。該通知の別の利点は、ＵＥが、ｅＮＢがスリープモードであるから該ｅＮＢからメッセージを受信することはないと判定できることであり、よって、ＵＥ自身が、例えば従来のＤＲＸプロシージャ等のスリーププロシージャを通じてスリープモードに入ることができる。
【００１９】
ｅＮＢは、ステップ２１０で任意の接続されたＵＥに通知を行ったあと、ステップ２１５においてスリープモードに入ってよい。上述のように、スリープモードには、ｅＮＢがその受信機能と送信機能のうち一方または両方をオフにする場合が含まれてよい。一部の実施形態では、ｅＮＢとＵＥは、例えば周期的な３ＧＰＰ同期信号やＧＰＳ同期信号等の同期信号を用いることにより、同期を維持してよい。他の実施形態では、ｅＮＢとＵＥは、同期を維持しなくてよい。一部の実施形態では、ｅＮＢは、スリープモードの間に受信機能をオフにしなくてよい。
【００２０】
図２−Ｂは、一実施形態に係る、ｅＮＢがスリープモードを終了する際の論理構成を示す。本実施形態によれば、ｅＮＢの復帰を求めるＵＥは、まずステップ２２０において、ｅＮＢがまだスリープモードであるかを確認して判定してよい。ＵＥは、ユーザーの命令に従って（例えば、ユーザーが発信またはインターネット接続の取得を要求する場合）、または他の基準に基づいて、このような確認を行ってよい。ステップ２２０での確認の結果、ｅＮＢがスリープ状態であると判定した場合、ＵＥはステップ２２５において、ｅＮＢへ復帰信号を送信してよい。復帰信号を送信する際、ＵＥは、ｅＮＢがステップ２０５でスリープモードに入る前に送信したパラメータのうち１以上を用いてよい。一部の実施形態では、復帰信号は、ランダムアクセスチャネル（Random  Access  Channel：ＲＡＣＨ）で送信されてよい。他の実施形態では、復帰信号は、他のチャネルで送信されてよい。
【００２１】
復帰信号を受信すると、ｅＮＢはステップ２３０において、スリープモードを終了してよい。すなわち、スリープモードから復帰してよい。復帰には、概してｅＮＢの高電力モードへの戻ることが含まれてよく、具体的には、送信機能と受信機能のうち一方または両方を再開することが含まれてよい。続いてｅＮＢは、ステップ２３５において、従来の接続プロシージャを実行して、ＵＥに接続してよい。一部の実施形態では、接続プロシージャはｅＮＢにより開始されてよい。他の実施形態では、接続プロシージャはＵＥにより開始されてよい。いずれの実施形態においても、ｅＮＢは、例えば接続プロシージャを開始する目的で、或いはＵＥからの信号に応答して、１以上の接続確立信号を送信してよい。
【００２２】
一部の実施形態では、ｅＮＢは、復帰信号を送信したＵＥの識別情報を確認してよい。このような確認は、ｅＮＢが完全にスリープモードを終了する前に行われてもよいし、スリープモードを終了してから接続プロシージャを実行するまでに行われてもよい。
【００２３】
上述のプロシージャは、ＵＥが復帰信号を送信してｅＮＢを復帰させる実施形態に関するものであるが、他の実施形態では、ｅＮＢは他の基準に従ってスリープモードを終了してよい。例えばｅＮＢは、時刻、該ｅＮＢに関連付けられたアプリケーションに関する情報、３ＧＰＰネットワークから受信されるトラフィック等に基づいて、スリープモードを終了してよい。
【００２４】
図３−Ａ〜図３−Ｄは、様々な実施形態のネゴシエートされるパラメータを示す。図３−Ａに示される実施形態において、ネゴシエートされるパラメータはリスニング間隔３００を含んでよく、リスニング間隔３００は、リスニング期間３０５および非リスニング期間３１０を含んでよい。リスニング間隔は、時間軸３１５上で繰り返されてよい。本実施形態では、ＵＥとｅＮＢは互いに同期を維持しなくてよく、よってリスニング間隔３００は、複数の図示されるリスニング期間３０５により示されるように、時間軸３１５上で繰り返されてよい。ｅＮＢとＵＥが互いに同期されていないので、該ＵＥは、１つのリスニング間隔３００と少なくとも同程度の長さの復帰信号３２０を送信してよい。復帰信号３２０には、ネゴシエートされる前のデジタルシーケンスまたはコードが含まれてよい。復帰信号３２０は少なくとも１つのリスニング間隔３００と少なくとも同程度の長さであるので、復帰信号は少なくとも１つのリスニング期間と同時に生じる（３２５）可能性がある。一部の実施形態では、復帰信号３２０の長さを、少なくともリスニング間隔３００に更なるリスニング期間３０５に加えた長さと同程度にして、復帰信号３２０が少なくとも１つのリスニング期間３０５と同時に生じるようにすることが好ましい。
【００２５】
図３−Ｂに示す別の実施形態において、復帰信号３３０は、リスニング期間３０５とほぼ同じ長さであってよい。よって、本実施形態では、復帰信号はリスニング期間３０５のうち少なくとも１つと同時に（３３５）生じてよい。本実施形態は、ｅＮＢとＵＥが、例えばＧＰＳ同期や他の形態の同期信号を用いて互いに同期を維持する場合に、好ましい。
【００２６】
図３−Ｃに示す別の実施形態において、非リスニング期間３４５を比較的短くすることによって、リスニング期間３４０がリスニング間隔３００のほぼ全体を占めてよい。本実施形態では、リスニング期間３４０が比較的長いので、復帰信号３５０の送信は比較的短くてよい。復帰信号３５０が複数回送信される場合、復帰信号３５０は高い確率で少なくとも１つのリスニング期間３４０と同時に（３５５）生じるが、一部の実施形態では、復帰信号３５０を比較的短いシリーズで送信するだけでよい。
【００２７】
図３−Ｄに示す実施形態において、ｅＮＢはその受信機能を停止しない。本実施形態では、リスニング期間とリスニング間隔は、単一の比較的大きいリスニング間隔３６０とみなされてよい。本実施形態では、ＵＥは、単一の復帰信号３６５を送信するだけでよい。本実施形態は、ｅＮＢとＵＥが同期されている場合にも、ｅＮＢとＵＥが同期されていない場合にも適する。また、復帰信号は比較的短くてよく、２つの直交周波数分割多重（Orthogonal  Frequency  Division  Multiplexing：ＯＦＤＭ）シンボルを含むだけでよい。
【００２８】
本開示の実施形態は、任意の適切なハードウェアおよび／またはソフトウェアを用いてシステムに実装され、必要に応じて構成されてよい。図４は、本明細書に記載の様々な実施形態を実施する際に使用可能な例示的システム４００を示す概略図である。図４が示す一実施形態の例示的システム４００は、１以上のプロセッサ４０５と、プロセッサ４０５のうち少なくとも１つに接続されるシステム制御モジュール４１０と、システム制御モジュール４１０に接続されるシステムメモリ４１５と、システム制御モジュール４１０に接続される不揮発性メモリ（Non-volatile  Memory：ＮＶＭ）／記憶部４２０と、システム制御モジュール４１０に接続される１以上の通信インターフェース４２５と、を含む。
【００２９】
一部の実施形態では、システム４００は、本明細書に記載のＵＥ１１０として機能できるように構成されてよい。他の実施形態では、システム４００は、図１に示される実施形態または他の実施形態のうちいずれか１つに示されるｅＮＢ１０５として機能できるように構成されてよい。一部の実施形態では、システム４００は、命令を有する１以上のコンピューター可読媒体（例えばシステムメモリまたはＮＶＭ／記憶部４２０）と、該１以上のコンピューター可読媒体に接続される１以上のプロセッサ（例えばプロセッサ４０５）とを含んでよい。該１以上のプロセッサは、モジュールを実装するために命令を実行して、本明細書に記載の動作を行ってよい。
【００３０】
一実施形態におけるシステム制御モジュール４１０は、プロセッサ４０５のうち少なくとも１つに対して、かつ／またはシステム制御モジュール４１０と通信を行う任意の適切なデバイスもしくは要素に対して任意の適切なインターフェースを提供するために、任意の適切なインターフェースコントローラを有してよい。
【００３１】
システム制御モジュール４１０は、システムメモリ４１５に対するインターフェースを提供するメモリ制御モジュール４３０を有してよい。メモリ制御モジュール４３０は、ハードウェアモジュール、ソフトウェアモジュールおよび／またはファームウェアモジュールであってよい。
【００３２】
システムメモリ４１５は、例えばシステム４００に関するデータおよび／または命令のロードおよび格納に用いられてよい。一実施形態におけるシステムメモリ４１５は、適切なＤＲＡＭ等の任意の適切な揮発性メモリを含んでよい。一部の実施形態では、システムメモリ４１５は、ＤＤＲ４  ＳＤＲＡＭ（Double-Data-Rate4  Synchronous  Dynamic  Random  Access  Memory）を含んでよい。
【００３３】
一実施形態におけるシステム制御モジュール４１０は、ＮＶＭ／記憶部４２０および通信インターフェース４２５に対するインターフェースを提供する１以上の入出力（Ｉ／Ｏ）コントローラを含んでよい。
【００３４】
ＮＶＭ／記憶部４２０は、例えばデータおよび／または命令の格納に用いられてよい。ＮＶＭ／記憶部４２０は、フラッシュメモリ等の任意の適切な不揮発性メモリを含んでよく、かつ／または、１以上のハードディスクドライブ（ＨＤＤ）、１以上のＣＤ（Compact  Disc）ドライブ、１以上のＤＶＤ（Digital  Versatile  Disc）ドライブ等、任意の適切な不揮発性記憶装置を含んでよい。
【００３５】
ＮＶＭ／記憶部４２０の例として、システム４００がインストールされるデバイスの物理的な一部として、ストレージリソースが含まれてよい。或いは、ＮＶＭ／記憶部４２０は、そのようなデバイス（必ずしもその一部とは限らない）によってアクセスされてよい。例えば、ＮＶＭ／記憶部４２０は、通信インターフェース４２５を介してネットワーク上でアクセスされてよい。
【００３６】
通信インターフェース４２５は、システム４００が１以上のネットワークを介してかつ／または任意の他の適切なデバイスと通信を行う際のインターフェースを提供してよい。システム４００は、無線ネットワークの１以上の要素と、１以上の無線ネットワークの規格および／またはプロトコルのうちいずれかに従って、無線通信を行ってよい。
【００３７】
一実施形態において、プロセッサ４０５のうち少なくとも１つは、システム制御モジュール４１０の１以上のコントローラ（例えばメモリ制御モジュール４３０）の論理構成と共に、パッケージ化されてよい。一実施形態において、プロセッサ４０５のうち少なくとも１つは、システム制御モジュール４１０の１以上のコントローラの論理構成と共にパッケージ化されて、システム・イン・パッケージ（ＳｉＰ）を形成してよい。一実施形態において、プロセッサ４０５のうち少なくとも１つは、システム制御モジュール４１０の１以上のコントローラの論理構成と同じダイに統合されてよい。一実施形態において、プロセッサ４０５のうち少なくとも１つは、システム制御モジュール４１０の１以上のコントローラの論理構成と同じダイに統合されて、システム・オン・チップ（ＳｏＣ）を形成してよい。
【００３８】
様々な実施形態において、システム４００は、例えばサーバー、ワークステーション、デスクトップ型コンピューター、モバイルコンピューター（ラップトップコンピューター、ハンドヘルド・コンピューター、タブレット、ノートブック等）であってよい。様々な実施形態において、システム４００の有する要素の数は異なってよく、かつ／または、システム４００は異なるアーキテクチャを有してよい。例えば一部の実施形態では、システム４００は、カメラと、キーボードと、液晶ディスプレイ（ＬＣＤ）（タッチスクリーン型ディスプレイを含む）と、不揮発性メモリポートと、多重アンテナと、グラフィックス・チップと、特定用途向け集積回路（Application  Specific  Integrated  Circuit：ＡＳＩＣ）と、スピーカーとのうち１以上を含む。
【００３９】
実施形態は、無線ネットワーク内のｅＮＢの電力消費を低減する方法および装置を提供する。特定の実施形態では、ｅＮＢは、復帰プロシージャの１以上のパラメータをＵＥへ送信し、高電力状態から低電力状態に入り、少なくとも部分的に１以上のパラメータに基づく復帰信号の受信をモニタリングしてよい。ｅＮＢは、復帰信号を受信すると、高電力状態に入り、ＵＥへ接続確立信号を送信してよい。特定の実施形態では、信号はｅＮＢによってＲＡＣＨ上で受信されてよい。一部の実施形態では、ｅＮＢは継続的に復帰信号をモニタリングしてよく、復帰信号はＯＦＤＭシンボル２つ分の長さを有してよい。
【００４０】
一部の実施形態では、復帰プロシージャのパラメータは、復帰信号に用いられるデジタルシーケンスを含んでよく、また、リスニング間隔の長さを有してよい。リスニング間隔は、リスニング長を含む少なくとも１つのリスニング期間と、少なくとも１つの非リスニング期間とを含んでよい。また、復帰プロシージャのパラメータは、リスニング期間のタイミングを含んでよい。特定の実施形態では、復帰信号の長さは、少なくともリスニング長であってよい。他の実施形態では、復帰信号の長さは、少なくともリスニング間隔の長さであってよい。代替の実施形態では、復帰信号の長さは、リスニング長より短くてよい。
【００４１】
代替の実施形態におけるＵＥは、復帰プロシージャの１以上のパラメータを受信する受信回路と、ＵＥがｅＮＢに接続すべきであると判定する処理回路と、少なくとも部分的に１以上のパラメータに基づく復帰信号を該判定に応答してｅＮＢへ送信する送信回路とを有してよい。復帰信号は、ｅＮＢに低電力状態から高電力状態へ入らせるように構成されてよい。受信回路は更に、接続確立プロシージャに関する送信を受信してよい。
【００４２】
他の実施形態におけるＨｅＮＢは、復帰プロシージャの１以上のパラメータをＵＥへ送信する送信部と、少なくとも部分的に１以上のパラメータに基づく復帰信号を受信する受信部とを有してよい。ＨｅＮＢは更に、電力制御部を有してよい。電力制御部は、パラメータの送信後に低電力モードに入ってよく、更に、復帰信号を受信したときに高電力モードに入ってよい。ＨｅＮＢは更に、高電力モードに入ったときに接続確立信号をＵＥへ送信してよい。特定の実施形態では、ＨｅＮＢは、低電力ＨｅＮＢとみなされてよい。
【００４３】
本明細書では、説明を目的として実施形態を図示し記載してきたが、このような適用は、本明細書に記載の実施形態の改造または変形をすべて包含するものである。したがって、本明細書に記載の実施形態が特許請求の範囲によってのみ限定されることは明白である。
【００４４】
本開示において単数の要素もしくは「第１の」要素またはそれらの均等物が記載される場合、そのような記載には１以上の当該要素が包含され、２以上の当該要素を要することも排除することも意図していない。更に、特定された要素に対する序数の指示語（例えば、第１、第２、第３等）は、当該要素の区別のために用いられており、特段の条件付けがない限り、当該要素の数が限定されることを示したり暗示したりするものではなく、また、当該要素の特定の位置または順序を示すものでもない。
【図１】
0005951894.tif 000002
【図２−Ａ】
0005951894.tif 000003
【図２−Ｂ】
0005951894.tif 000004
【図３−Ａ】
0005951894.tif 000005
【図３−Ｂ】
0005951894.tif 000006
【図３−Ｃ】
0005951894.tif 000007
【図３−Ｄ】
0005951894.tif 000008
【図４】
0005951894.tif 000009